【手続補正書】
【提出日】平成27年7月8日(2015.7.8)
【手続補正１】
【補正対象書類名】特許請求の範囲
【補正対象項目名】全文
【補正方法】変更
【補正の内容】
【特許請求の範囲】
【請求項１】
医用画像情報を撮像するモダリティ装置と、
記憶装置を有し前記モダリティ装置と一時接続する可搬型端末と、
前記可搬型端末と一時接続するものであって、前記医用画像情報を記憶する画像サーバ装置と、
を備えた医用画像情報転送システムであって、
前記モダリティ装置と前記記憶装置が接続、前記記憶装置と前記画像サーバ装置が非接続の状態のときに、当該モダリティ装置において撮像された医用画像情報を前記記憶装置に転送・記憶し、
前記記憶装置と前記画像サーバ装置が接続、前記モダリティ装置と前記記憶装置が非接続の状態のときに、前記記憶装置に記憶された医用画像情報のうちの病院情報システム又は放射線情報システムに記憶された患者情報に対応する前記医用画像情報を前記画像サーバ装置に転送することを特徴とすることを特徴とする医用画像情報転送システム。
【請求項２】
前記モダリティ装置からの前記記憶装置への前記医用画像情報の転送は、前記画像サーバが有するＤＩＣＯＭ  ＱＵＥＲＹ／ＲＥＴＲＩＥＶＥ機能を用いて行われることを特徴とする請求項１記載の医用画像情報転送システム。
【請求項３】
前記モダリティ装置からの前記記憶装置への前記医用画像情報の転送は、ＤＩＣＯＭ  ＱＵＥＲＹ／ＲＥＴＲＩＥＶＥ機能と異なるデータ転送方式を用いて行われることを特徴とする請求項１記載の医用画像情報転送システム。
【請求項４】
前記ＤＩＣＯＭ  ＱＵＥＲＹ／ＲＥＴＲＩＥＶＥ機能と異なるデータ転送方式は、前記モダリティ装置の記憶装置と前記記憶装置間の直接データ送信であることを特徴とする請求項３記載の医用画像情報転送システム。
【請求項５】
前記ＤＩＣＯＭ  ＱＵＥＲＹ／ＲＥＴＲＩＥＶＥ機能と異なるデータ転送方式は、ＤＩＣＯＭ  ＳＴＯＲＡＧＥ  ＳＣＰ及びＤＩＣＯＭ  ＳＴＯＲＡＧＥ  ＳＣＵ機能であることを特徴とする請求項３記載の医用画像情報転送システム。
【請求項６】
モダリティ装置に撮像された医用画像情報を、可搬型端末に接続された記憶装置を介して画像サーバ装置に転送する医用画像情報転送方法であって、
前記モダリティ装置と前記記憶装置が接続、前記記憶装置と前記画像サーバ装置が非接続の状態のときに、当該モダリティ装置に撮像された医用画像情報を前記記憶装置に転送・記憶するステップと、
前記記憶装置と前記画像サーバ装置が接続、前記モダリティ装置と前記記憶装置が非接続の状態のときに、前記記憶装置に記憶された医用画像情報のうちの病院情報システム又は放射線情報システムに記憶された患者情報に対応する医用画像情報を前記画像サーバ装置に転送するステップとを含むことを特徴とする医用画像情報転送方法。
【手続補正２】
【補正対象書類名】明細書
【補正対象項目名】０００１
【補正方法】変更
【補正の内容】
【０００１】
本発明は、モダリティ装置で撮像した医用画像情報を画像サーバ装置へ転送するシステム及び方法に係り、特に情報セキュリティ面での性能向上の改善に関するものである。
【手続補正３】
【補正対象書類名】明細書
【補正対象項目名】０００４
【補正方法】変更
【補正の内容】
【０００４】
しかしながら、特許文献1のDICOM STORAGE SCU機能及びSCP機能では、モダリティ装置と可搬型PC間、可搬型PCと画像サーバ装置間において、単に医用画像情報を、データ転送するだけであるので、モダリティ装置での患者情報を誤って入力した場合には、誤った医用画像情報がモダリティ装置から画像サーバ装置へ転送されてしまう危惧があり、医療機関の画像サーバ装置が要求した医用画像情報が正確にデータ転送されなかったり、誤った医用画像情報がデータ転送されたりするという情報セキュリティ上の問題があった。
【手続補正４】
【補正対象書類名】明細書
【補正対象項目名】０００６
【補正方法】変更
【補正の内容】
【０００６】
上記目的を達成するために、本発明は、画像サーバ装置に、モダリティ装置で撮像された医用画像情報を、可搬型端末に接続された記憶装置を介して転送する際に、前記モダリティ装置と前記記憶装置が接続、前記記憶装置と前記画像サーバ装置が非接続の状態のときに、当該モダリティ装置において撮像された医用画像情報を前記記憶装置に転送・記憶し、前記記憶装置と前記画像サーバ装置が接続、前記モダリティ装置と前記記憶装置が非接続の状態のときに、前記記憶装置に記憶された医用画像情報のうちの病院情報システム又は放射線情報システムに記憶された患者情報に対応する前記医用画像情報を前記画像サーバ装置に転送することを特徴とするものである。
【手続補正５】
【補正対象書類名】明細書
【補正対象項目名】００１０
【補正方法】変更
【補正の内容】
【００１０】
図1は本発明の各実施例に共通する医用画像情報転送システムの構成図である。
医用画像情報転送システムは、医用画像情報を撮像するモダリティ装置1と、記憶装置を有し前記モダリティ装置と一時接続する可搬型PC2と、前記可搬型PC2と一時接続するものであって、前記医用画像情報を記憶し、医用画像を問い合わせる側の必要な機能を定めたDICOM QUERY/RETRIEVE機能を有する画像サーバ装置4と、を有している。
【手続補正６】
【補正対象書類名】明細書
【補正対象項目名】００１２
【補正方法】変更
【補正の内容】
【００１２】
車載される機器は、モダリティ装置1と、可搬型PC2(「可搬型端末」ともいう)と、モダリティ装置1と可搬型PC2を接続するケーブル3とを有している。ここでは、説明を簡単にするために、モダリティ装置1と可搬型PC2との接続をケーブル3による有線接続を例にして説明するが、モダリティ装置1と可搬型PC2との医用画像情報の転送は有線、無線を問わない。
【手続補正７】
【補正対象書類名】明細書
【補正対象項目名】００１４
【補正方法】変更
【補正の内容】
【００１４】
図1では、モダリティ装置1が車載され、画像サーバ装置4が医療機関に設置された例を説明しているが、例えば、モダリティ装置1が診療所などの第1の医療機関、画像サーバ装置4が地域中核病院などの第2の医療機関であってもよい。
【手続補正８】
【補正対象書類名】明細書
【補正対象項目名】００１７
【補正方法】変更
【補正の内容】
【００１７】
画像サーバ装置4は、医療機関に設置され、HIS/RIS6に登録された患者情報に基づいて可搬型PC2が記憶する医用画像情報をDICOM QUERY/RETRIEVE機能によって検索/問い合わせを行って、検索/問い合わせと一致する患者情報に対応する医用画像情報を、可搬型PC2が記憶する医用画像情報から取り出す。画像サーバ装置4は取り出した医用画像情報を自身の記憶装置に記憶する。
【手続補正９】
【補正対象書類名】明細書
【補正対象項目名】００３０
【補正方法】変更
【補正の内容】
【００３０】
まず、医療スタッフは、ケーブル9を用いて可搬型PC2とHIS/RIS6を接続する。可搬型PC2のCPU22はHIS/RIS6の記憶装置24に記憶される患者情報13を可搬型PC2の記憶装置24に記憶させ、記憶が終了したことを可搬型PC2の表示装置26に表示する。可搬型PC2の表示装置26の表示を確認した医療スタッフは、ケーブル9を外し、可搬型PC2とHIS/RIS6を非接続状態とする(ステップS11)。
【手続補正１０】
【補正対象書類名】明細書
【補正対象項目名】００３２
【補正方法】変更
【補正の内容】
【００３２】
次に、医療スタッフは検診車などの車両内に可搬型PC2を持ち込み、ケーブル3を用いて可搬型PC2とモダリティ装置1を接続する。可搬型PC2のCPU22は、モダリティ装置1で撮像された画像を含む医用画像情報10を、ステップS11で記憶された患者情報に基づき医用画像を検索するための問い合わせ要求をモダリティ装置1のCPU22に行う。モダリティ装置1のCPU22は、可搬型PC2のCPU22の問い合わせ要求を受けて、問い合わせ要求の内容と一致する医用画像情報10を検索し、モダリティ装置1の記憶装置24から可搬型PC2の記憶装置24へ送り出すべき医用画像情報10を特定し、特定された医用画像情報10をモダリティ装置1の記憶装置24から可搬型PC2の記憶装置24へデータ転送させ、データ転送が終了したことを示す終了メッセージを可搬型PC2の表示装置26に表示する。可搬型PC2の表示装置26の表示を確認した医療スタッフは、ケーブル3を外し、可搬型PC2とモダリティ装置1を非接続状態とする(ステップS13)。
【手続補正１１】
【補正対象書類名】明細書
【補正対象項目名】００３３
【補正方法】変更
【補正の内容】
【００３３】
次に、医療スタッフは、検診車から可搬型PC2を運び出し、経路11を経て医療機関に可搬型PC2を持ち込み、ケーブル5を用いて可搬型PC2と画像サーバ装置4を接続する。画像サーバ装置4のCPU22は、可搬型PC2に記憶された医用画像情報12を、ステップS12で記憶された患者情報に基づき検索するための問い合わせ要求を可搬型PC2のCPU22に行う。可搬型PC2のCPU22は、画像サーバ装置4のCPU22の問い合わせ要求を受けて、問い合わせ要求の内容と一致する医用画像情報12を検索し、可搬型PC2の記憶装置24から画像サーバ装置4の記憶装置24へ送り出すべき医用画像情報12を特定し、特定された医用画像情報12を可搬型PC2の記憶装置24から画像サーバ装置4の記憶装置24へデータ転送させ、データ転送が終了したことを示す終了メッセージを画像サーバ装置4の表示装置26に表示する。画像サーバ装置4の表示装置26の表示を確認した医療スタッフは、ケーブル5を外し、可搬型PC2と画像サーバ装置4を非接続状態とする(ステップS14)。